(57)【要約】【課題】安定した泳動姿勢を維持しつつ、魚に強くアピールできるルアーを提供する。【解決手段】このルアーは、ルアー本体１の尾部側端部に挿入された尾部側に延出する細棒部材であり尾部側の端部にリング部分が形成されている回動軸３と、回動軸３が貫通した状態で回動軸上に回動自在に位置する尾部側に外周面が凸出すると共に内周面が凹入している半球状型のカップ部分４ａ及びカップ部分４ａから延びる羽根部分４ｂとからなるプロペラ４と、回動軸３上が貫通した状態でプロペラ４の尾部側に配置された頭部側に外周面が凸出すると共に内周面が凹入している半球状型のカップワッシャー１３とを備えている。【選択図】　　　図５
2004113056.tif 000002
【特許請求の範囲】
【請求項１】
外形が魚に似せて形成され頭部側に釣糸連結部を有するルアー本体と、
前記ルアー本体の尾部側端部に挿入された尾部側に突出する細棒部材であり尾部側の端部にリング部分が形成されている回動軸と、
前記回動軸が貫通した状態で前記回動軸上に回動自在に位置する尾部側に外周面が凸出すると共に内周面が凹入している半球状型のカップ部分及び前記カップ部分から延びる羽根部分とからなるプロペラと、
前記回動軸上が貫通した状態でプロペラの尾部側に配置された頭部側に外周面が凸出すると共に内周面が凹入している半球状型のカップワッシャーとを備え、前記リング部分の頭部側の一部が前記カップワッシャーの凹入部分に収納されている、ルアー。
【請求項２】
外形が魚に似せて形成され頭部側に釣糸連結部を有するルアー本体と、
前記ルアー本体の頭部側の下面に斜め下方向に突出するように形成されたリップと、
前記リップの頭部側端部に配置されている錘と、
前記ルアー本体の尾部側端部に前記ルアー本体の長さ方向に対して尾部側ほど背側に位置するように傾斜して挿入された尾部側に突出する細棒部材であり尾部側の端部にリング部分が形成されている回動軸と、
前記回動軸が貫通した状態で前記回動軸上に回動自在に位置する尾部側に外周面が凸出すると共に内周面が凹入している半球状型のカップ部分及び前記カップ部分から延びる羽根部分とからなるプロペラと、
前記回動軸上が貫通した状態でプロペラの尾部側に配置された頭部側に外周面が凸出すると共に内周面が凹入している半球状型のカップワッシャーとを備え、前記リング部分の頭部側の一部が前記カップワッシャーの凹入部分に収納されている、ルアー。
【請求項３】
前記ルアー本体の長さ方向尾部側の背側稜線は腹部側に凹入するように湾曲している、請求項２に記載のルアー。
【請求項４】
前記釣糸連結部は前記リップの付け根部分において前記ルアー本体に配置されている、請求項２または３に記載のルアー。
【発明の詳細な説明】
【０００１】
【発明の属する技術分野】
本発明はルアー、特に、水中で流水を受けて回転するプロペラを有するタイプのルアーに関する。
【０００２】
【従来の技術】
魚釣りに際しては、外形を魚に似せた合成樹脂・金属等から形成されたルアー（擬餌）が用いられる。このようなルアーとしては、魚の興味を引き立てるべく他種多様のタイプのものが開発され提供されている。
従来のルアーの中には、魚を外形に似せたルアー本体の尾部側端部に回動自在なプロペラを配備したものがある（特許文献１参照）。例えば、従来のある種のプロペラ付きルアーは、そのプロペラの複数の羽根にあって個々の羽根の形状，大きさ，角度，厚み，材質等をそれぞれ異なるものとして、イレギュラーな回転運動をさせているものもある（特許文献２参照）。
【０００３】
このようなプロペラ付きのルアーは、回転するプロペラの水流や音などで魚の興味を引き立てる、また、ルアー本体への水の抵抗及び水中で回転するプロペラが受ける抵水の抗等により、ルアー本体を振ってイレギュラーに泳動し、魚に強くアピールするのである。
【０００４】
【特許文献１】
特開平１１−１５５４２３号公報（図２）
【０００５】
【特許文献２】
特開２００１−２０４３０１号公報（図１）
【０００６】
【発明が解決しようとする課題】
従来のプロペラ付きルアーでは、プロペラの回動軸のルアー本体に対する自由度が小さく、水中で泳動してルアー本体が左右に振れるとプロペラの流水に対する角度も左右に振れることになり、場合によってはプロペラの回転が停止してしまうことがある。このような無回転のプロペラは流水に対する抵抗を増大させて、円滑なルアーの尾部付近の動きを阻害する。そして、抵抗が増大したルアーの尾部付近はルアーの左右の振れを抑えて泳動姿勢を急激に原状復帰させ、ルアー全体のスムーズな動きを損なうことにつながる。
【０００７】
そこで、ルアー本体の形状，重量バランス，プロペラの形状等様々な点を調整し改良したルアーが研究されているが、十分なものではない。
本発明は、安定したプロペラの回転を維持して水中での円滑な動きを可能とし、魚に強くアピールできるルアーを提供するものである。
【０００８】
【課題を解決するための手段】
発明１のルアーは、外形が魚に似せて形成され頭部側に釣糸連結部を有するルアー本体と、ルアー本体の尾部側端部に挿入された尾部側に延出する細棒部材であり尾部側の端部にリング部分が形成されている回動軸と、回動軸が貫通した状態で回動軸上に回動自在に位置する尾部側に外周面が凸出すると共に内周面が凹入している半球状型のカップ部分及びカップ部分から延びる羽根部分とからなるプロペラと、回動軸上が貫通した状態でプロペラの尾部側に配置された頭部側に外周面が凸出すると共に内周面が凹入している半球状型のカップワッシャーとを備えている。そして、リング部分の頭部側の一部がカップワッシャーの凹入部分に収納されている。
【０００９】
このルアーは、プロペラのカップ部分の尾部側に凸出する面と、カップワッシャーの頭部側に凸出する面とが相互に点接触しており、プロペラとルアー本体との動きが相互の動きを阻害し難い。よって、釣糸連結部に釣糸を連結して、この釣糸を引いてルアーを水中で泳動させ、ルアー本体が左右方向に大きく振れる等しても、プロペラの角度設定の自由度が高まってプロペラは進行方向に直交する方向に羽根を維持し易くなり回転が阻害されにくい。
【００１０】
発明２のルアーは、外形が魚に似せて形成され頭部側に釣糸連結部を有するルアー本体と、ルアー本体の頭部側の下面に斜め下方向に突出するように形成されたリップと、リップの頭部側端部に配置されている錘と、ルアー本体の尾部側端部にルアー本体の長さ方向に対して尾部側ほど背側に位置するように傾斜して挿入された尾部側に突出する細棒部材であり尾部側の端部にリング部分が形成されている回動軸と、回動軸が貫通した状態で回動軸上に回動自在に位置する尾部側に外周面が凸出すると共に内周面が凹入している半球状型のカップ部分及びカップ部分から延びる羽根部分とからなるプロペラと、回動軸が貫通した状態でプロペラの尾部側に配置された頭部側に外周面が凸出すると共に内周面が凹入している半球状型のカップワッシャーとを備えている。そして、このリング部分の頭部側の一部がカップワッシャーの凹入部分に収納されている。
【００１１】
このルアーは、プロペラのカップ部分の尾部側に凸出する面と、カップワッシャーの頭部側に凸出する面とが相互に点接触しており、プロペラとルアー本体との動きが相互の動きを阻害し難い。よって、釣糸連結部に釣糸を連結して、この釣糸を引いてルアーを水中で泳動させ、ルアー本体が左右方向に大きく振れる等しても、プロペラの角度設定の自由度が高まってプロペラは進行方向に直交する方向に羽根を維持し易くなり、回転が阻害されにくい。
【００１２】
また、回動軸がルアー本体の長さ方向に対して傾斜して配置されており、この回動軸にカップ部分が装着されたプロペラは斜方向から水流を受けて自在に回転して水流・水音等を発生する。さらに、リップに配置される錘がルアー本体の左右方向への動きを高めて大きな左右方向への振り子運動を可能とすると共に、振り子運動の際の円滑な「起きあがり」を可能とする。
【００１３】
発明３のルアーは、発明２のルアーであって、ルアー本体の長さ方向尾部側の背側稜線は腹部側に凹入するように湾曲している。
このルアーでは、背部稜線の凹入した部分に流水が流れ込み、斜行するプロペラへ円滑に流水が当たり、プロペラの回転がさらに円滑になる。
発明４のルアーは、発明２または３のルアーであって、釣糸連結部はリップの付け根部分においてルアー本体に配置されている。
【００１４】
このようにリップの付け根部分に設けられた釣糸連結部に釣糸を連結してルアーを引いて水中で泳動させると、リップに良好に流水が当たり、ルアーの左右方向への振り子運動がさらに円滑になる。また、この釣糸連結部に連結した釣糸を引くと、リールの進行方向からリップに水流が上手く当たり易い。
【００１５】
【発明の実施の形態】
以下、本発明の一実施形態について図面を参照しつつ説明する。
図１及び図２に示すように、本発明の一実施形態を採用したルアーは、外形が小魚に似せて形成されているルアー本体１と、ルアー本体１の腹部に収納された錘２と、ルアー本体１の尾部側端部に尾部側に延出して配置されている回動軸３と、回動軸３上に配置されるプロペラ４とを有している。また、ルアー本体１の頭部側にはアイ５が、腹部にはアイ６，７が配置されている。そして、アイ５には釣糸が連結され、アイ６，７にはスプリットリングを介して釣針８，９が連結されている。また、回動軸３の尾部側端部にも釣針１０が連結されている。
【００１６】
ルアー本体１は、ＡＢＳ樹脂等の硬質合成樹脂からなる中空の部材である。左右一対の半割部材を開口面側で貼り合わせて一体化して構成されている。その形状は上述のように魚を模して形成されており、外周面には鱗模様・目・鰓等が描かれる。なお、ルアー本体１の長さ方向尾部側の背側稜線は腹部側に凹入するように湾曲している（図１のＡ範囲参照）。
【００１７】
このルアー本体１の頭部側の下面には斜め下方に突出しているリップ１ａが一体的に形成される。図３に示すように、このリップ１ａは左右方向に幅広に薄板状広がっている部分であり、水中で水を受ける水受けである。リップ１ａの先端側端部の中央付近には球状の錘１１がリップ１ａをその厚さ方向に貫通するように埋め込まれて装着されている。
【００１８】
上述のアイ５はこのリップ１ａの付け根の部分のリップ１ａの上面側付近に配置される。このアイ５は、ルアー本体１を構成する半割部材の貼り合わせ面に形成される受け窪み部分に配置され、半割部材でアイ５を挟み込むようにしてルアー本体１に固定されている。なお、他のアイ６，７も同様にして、半割部材で挟み込むようにして所定の腹部側に固定されている。
【００１９】
また、ルアー本体１の腹部側には、半割部材の貼り合わせ面に錘収納窪みが形成されており、ここに錘２が収納されている。錘収納窪みはアイ６，７に近接する部分にそれぞれ形成されている。この実施形態では、２カ所に２つの錘２を配置しているが、これに限定されるものではなく、錘２の数は任意に設定可能である。
【００２０】
ルアー本体１の尾部側端部に装着される回動軸３は金属製の細棒部材である。回動軸３の尾部側端部はリング状に折り曲げられて加工されており、頭部側端部は直角方向に折り曲げられている。この尾部側端部のリング状部分にスプリットリングを介して上述の釣糸１０が連結される。回動軸３はその頭部側端部をルアー本体１の半割部材の貼り合わせ面に形成される受け窪み部分に配置されてルアー本体１に固定されている。なお、このような回動軸３の形状に変えて、その頭部側端部をネジ形状として、ルアー本体１にねじ込み固定してもよい。
【００２１】
プロペラ４は、図４及び図５に示すように、回動軸３上に回動自在に配置される部材であり、回動軸３が貫通した状態で回動軸２上に回動自在に位置するカップ部分４ａと、このカップ部分４ａから１８０度変位して配置される一対の羽根部分４ｂとからなる。カップ部分４ａは尾部側に外周面が凸出すると共に内周面が凹入している半球状型の部分である。このカップ部分４ａに貫通孔が形成され、この貫通孔を回動軸３が貫通している。また、羽根部分４ｂは軸方向に直交する平面方向に広がりつつ捻れた形状をなし、先端側端部は尾部側方向にやや屈曲している。
【００２２】
このプロペラ４の頭部側及び尾部側にそれぞれ隣接するようにして、回動軸上にはカップワッシャー１２，１３が配置されている。プロペラ４の尾部側に位置するカップワッシャー１３は、頭部側に外周面が凸出すると共に内周面が凹入している半球状型の部材である。また、プロペラ４の頭部側に必要に応じて配置されるカップワッシャー１２は、尾部側に外周面が凸出するとともに内周面が凹入している半球状型の部材である。これらのカップワッシャー１２，１３の凸出する頭頂部分に軸方向に貫通する貫通孔が形成されており、ここに回動軸３が貫通している。
【００２３】
このプロペラ４の凸出する側にカップワッシャー１３の凸出する外周面が点接触し、凹入する内周面に回動軸４のリング部分が収納されている。一方、カップワッシャー１２にあっては、その凹入する内周面部分にルアー本体１の尾部側端部が収納され、このカップワッシャー１２の凸出する側にプロペラ４のカップ部分４ａの凹入する部分が当接している。
【００２４】
釣人は、このように構成されるルアーのアイ５に釣糸を連結し、水中にこのルアーを投じた上で、釣糸を巻きあげる等して水中を泳動させて、魚をおびき寄せる。このようにリップ１ａの付け根部分に設けられたアイ５に釣糸を連結してルアーを引いて水中で泳動させると、リップ１ａに良好に流水が当たり、ルアーの左右方向への振り子運動がさらに円滑になる。特に、リップ１ａ上の錘１１が振り子運動を大きくすると共に円滑な原状回復を可能とし、ルアーが不用意に反転してしまうことも抑えている。
【００２５】
また、釣糸を巻きあげて泳動させると、背部稜線の凹入した部分（Ａ）に流水が流れ込み、斜行するプロペラ４の羽根４ｂへ円滑に流水が当たり、プロペラ４の羽根４ｂ回転が円滑になる。さらにまた、このプロペラ４のカップ部分４ａの尾部側に凸出する面と、カップワッシャー１３の頭部側に凸出する面とが相互に点接触しており、プロペラ４と回動軸３を介したルアー本体１との動きが相互の動きを阻害し難い。よって、ルアー本体１が泳動中に左右方向に振れ若しくは振り子のように左右方向に回転運動を始めても、プロペラ４の角度設定の自由度が高まってプロペラ４は進行方向に直交する方向に羽根を維持し易くなり水流を旅行に受けて回転する。また、プロペラ４の自由度の高まりにより、ルアー本体１の動きも減殺されにくい（図６参照）。
【００２６】
【発明の効果】
本発明に係るルアーは、水中で安定した泳動姿勢を維持しつつトリッキーな動きをする。また、プロペラの回転も安定して回転し、魚に強くアピールできる。
【図面の簡単な説明】
【図１】本発明の一実施形態を採用したルアーの全体図。
【図２】図１のルアー本体の半割図。
【図３】図１のルアーを頭部方向から見た図。
【図４】図１のルアーの回動軸３付近を示した図。
【図５】図１のルアーの回動軸３付近を背部側から見た図。
【図６】図１のルアーの泳動状態を示す模式図。
【符号の説明】
１　ルアー本体
１ａ　リップ
３　回動軸
４　プロペラ
１２，１３　カップワッシャー
【図１】
2004113056.tif 000003
【図２】
2004113056.tif 000004
【図３】
2004113056.tif 000005
【図４】
2004113056.tif 000006
【図５】
2004113056.tif 000007
【図６】
2004113056.tif 000008